(57)【要約】      （修正有）【課題】ルアーの長さが異なる複数種のルアーに対して、１種で対応することができるルアー固定部材を提供する。【解決手段】ルアー固定部材１０は、ルアー包装用箱の中でルアーを固定するための固定部材であって、長手方向に複数の切り込み２１を有する一対の固定用台紙２０と、一対の固定用台紙２０の切り込み２１にそれぞれ取り付けられる一対の和紙タイ３０とを備えている。【選択図】図３
0003234571.tif 000002
【実用新案登録請求の範囲】
【請求項１】
ルアー包装用箱の中でルアーを固定するための固定部材であって、前記ルアー固定部材は、長手方向に複数の切り込みを有する一対の固定用台紙と、一対の前記固定用台紙の前記切り込みにそれぞれ取り付けられる一対の和紙タイとを備えていることを特徴とするルアー固定部材。
【請求項２】
前記固定用台紙は、前記長手方向の端部にフックホール付折片を備えていることを特徴とする請求項１に記載のルアー固定部材。
【請求項３】
前記固定用台紙は、短手方向の両側に側方折片を備えていることを特徴とする請求項１に記載のルアー固定部材。
【請求項４】
前記固定用台紙は、短手方向の片側のみに側方折片を備えていることを特徴とする請求項１に記載のルアー固定部材。
【請求項５】
ルアーを収容するためのルアー包装用箱において、固定用台紙の端部に設けたフックホール付折片とルアー包装用箱の前面および後面の各端部に設けた各吊り下げ片とを互いに重ね合わせて、当該重ね合わせた部分である吊り下げ片に前記ルアー包装用箱を吊り下げるための吊り下げ用フックが挿入されるフックホールを設けたことを特徴とするルアー包装用箱。
【請求項６】
前記ルアー包装用箱に、前記ルアーの外形を模するように、前記ルアー包装用箱の長手方向に複数の視認窓を設けたことを特徴とする請求項５に記載のルアー包装用箱。
【考案の詳細な説明】
【技術分野】
【０００１】
本考案は、ルアー固定部材およびこれを収容するルアー包装用箱に関し、フックが取り付けられているルアーのみならず、フックが取り付けられていない状態のルアーでも、ルアー包装用箱の中で固定することができるルアー固定部材、およびルアー包装用箱を販売用に吊り下げる際、吊り下げ片の強度を上げるために、ルアー固定部材と協働することができるルアー包装用箱に関する。
【背景技術】
【０００２】
特許文献１には、ルアーの鋭いハリ（フック）によって開封時に指を怪我しない安全性とルアーを見やすくしたルアー用包装体が開示されている。特許文献１のルアー用包装体は、長方形のシートの対向する両短辺にルアーの前後のハリが掛かる切り込みを設けてなる固定パネルにより、ルアー用包装体の内で確実にルアーを固定することができ、かつ、この固定パネルに設けられている切り込みは、複数個の深さの異なる切り込みを構成しているため、長さが異なる多種類のルアーに対して一種の固定パネルで適用することができるというものである。
【先行技術文献】
【特許文献】
【０００３】
【特許文献１】特開２０００−１３９３１１号公報
【０００４】
しかし、ルアーは、ハリ（フック）が取り付けられている態様で販売されるだけでなく、フックが取り付けられていない態様で販売されることも多く、この場合は、特許文献１に開示された「切り込みを設けてなる固定パネル」を使用することはできない。さらに、ルアーの長さは、非常に多種類であり、極めて長尺の物もあるため、一種の固定パネルに設けた複数個の深さの異なる切り込みでは、対応できるルアーの長さが限定されてしまう。さらに、ルアー包装用箱は、ルアーを収容した状態で、販売用に吊るしておくための吊り下げ片が設けられているが、この吊り下げ片は、ルアーの重量に耐える強度が要求される。長尺ルアーを収容している場合は、特に吊り下げ片の強度が問題となる。
【考案の概要】
【考案が解決しようとする課題】
【０００５】
そこで、本考案は、ルアーを、ルアー包装用箱の中で確実に固定することができるルアー固定部材を提供すること、加えて、ルアーの長さが異なる複数種のルアーに対しても、１種のルアー固定部材で対応することができるルアー固定部材を提供することを目的とし、さらに吊り下げ片の強度を上げるために、ルアー固定部材と協働することができるルアー包装用箱を提供することを目的とする。
【課題を解決するための手段】
【０００６】
本考案によると、上記課題は、次のようにして解決される。
（１）本考案は、ルアー包装用箱の中でルアーを固定するためのルアー固定部材であって、前記ルアー固定部材は、長手方向に複数の切り込みを有する一対の固定用台紙と、一対の前記固定用台紙の前記切り込みにそれぞれ取り付けられる一対の和紙タイとを備えていることを特徴とする。
【０００７】
（２）上記（１）項において、前記固定用台紙は、前記長手方向の一方の端部にフックホール付き折片を備えていることを特徴とする。
【０００８】
（３）上記（１）項において、前記固定用台紙は、短手方向の両側に側方折片を備えていることを特徴とする。
【０００９】
（４）上記（１）項において、前記固定用台紙は、短手方向の片側のみに側方折片を備えていることを特徴とする。
【００１０】
（５）ルアーを収容するためのルアー包装用箱において、固定用台紙の端部に設けたフックホール付折片とルアー包装用箱の前面および後面の各端部に設けた各吊り下げ片とを互いに重ね合わせて、当該重ね合わせた部分である吊り下げ片に前記ルアー包装用箱を吊り下げるための吊り下げ用フックが挿入されるフックホールを設けたことを特徴とする。
【００１１】
（６）上記（５）項において、前記ルアー包装用箱に、前記ルアーの外形を模するように、前記ルアー包装用箱の長手方向に複数の視認窓を設けたことを特徴とする。
【考案の効果】
【００１２】
本考案のルアー固定部材によれば、フックが取り付けられているルアーのみならず、フックが取り付けられていない状態のルアーでもルアー包装用箱に確実に固定することができ、かつ、長尺ルアーでも、一種類のルアー固定部材で対応することができる。さらに吊り下げ片の強度を上げるために、ルアー固定部材と協働することができるルアー包装用箱を提供することができる。
【図面の簡単な説明】
【００１３】
【図１】ルアー包装用箱に収納して販売されるルアーの外観図である。
【図２】本考案の一対の固定用台紙と一対の和紙タイとを備えるルアー固定部材の平面図である。
【図３】本考案の一対の固定用台紙の切り込みに一対の和紙タイを取り付けた状態の斜視図である。
【図４】本考案のルアー固定部材にルアーを固定した状態の斜視図である。
【図５】本考案のルアー固定部材に長尺ルアーを固定した状態の斜視図である。
【図６】図４において両側の側方折片と一方のフックホール付折片とを折り曲げた状態のルアー固定部材の斜視図である。
【図７】ルアー包装用箱の底部から図６のルアー固定部材を収納する途中の状態の斜視図である。
【図８】図３と同じ本考案のルアー固定部材の別の実施例の斜視図である。
【図９】図８に示す別の実施例のルアー固定部材における図６と同じ状態のルアー固定部材の斜視図である。
【図１０】図８に示すルアー固定部材の実施例のさらなる変形例の斜視図である。
【図１１】ルアー固定部材のさらに別の実施例の斜視図である。
【図１２】本考案のルアー包装用箱の展開図である。
【図１３】図１２のルアー包装用箱の変形例としての展開図である。
【図１４】図１２のルアー包装用箱のさらなる変形例としての展開図である。
【図１５】図１２のルアー包装用箱の組立後の斜視図である。
【図１６】図１５のルアー包装用箱の吊り下げ片周りの拡大斜視図である。
【図１７】本考案のルアー包装用箱を吊り下げ用フックに吊り下げた状態の斜視図である。
【考案を実施するための形態】
【００１４】
以下、本考案の実施例について図面を参照して説明する。なお、各図において、同様の部分には、同一符号を付している。
【００１５】
図１は、ルアー包装用箱に収納して販売されるルアーの外観図である。図１（ａ）は、ルアー前部の円環状のアイ５１およびルアー後部の円環状のアイ５１にフック５３が取り付けられているルアー５０であり、図１（ｂ）は、フックが取り付けられていないフック無しルアー６０であり、図１（ｃ）は、フックが取り付けられていない、かつ、長尺のフック無し長尺ルアー７０である。
【００１６】
図２は、本考案の一対の固定用台紙２０、２０と一対の和紙タイ３０、３０とを備えるルアー固定部材１０の平面図である。
【００１７】
固定用台紙２０の中央部の長手方向には、和紙タイ３０を通すための複数の切り込み２１が設けられており、固定用台紙２０の長手方向端部の片側には、フックホール２２を有するフックホール付折片２３が設けられており、固定用台紙２０の両側には、側方折片２４，２４が設けられている。なお、図２における点線は、折線を示しており、ルアー包装用箱に収納するために、この折線で、フックホール付折片２３および側方折片２４、２４が折り曲げられる。
【００１８】
固定用台紙２０は、厚めの紙、薄手の段ボールシート、プラスチックシート等、材質は特に制限されることはない。また、和紙タイ３０も、ワイアが入っていれば、材質は、紙、プラスチック等、特に制限されることはなく、更に、ワイアが入っていなくても構わない。
【００１９】
図３は、一対の固定用台紙２０、２０の切り込みに一対の和紙タイ３０、３０を取り付けた状態のルアー固定部材１０の斜視図である。和紙タイ３０は、固定用台紙２０に設けた互いに隣り合う切り込み２１、２１に和紙タイ３０のそれぞれの先端を通すことにより、固定用台紙２０に保持されている。
【００２０】
図４は、本考案のルアー固定部材１０にルアー６０を固定した状態の斜視図である。ルアー６０を一対の固定用台紙２０、２０の上に置き、ルアー６０の前部の円環状のアイ５１および後部の円環状のアイ５１に和紙タイ３０、３０をそれぞれ通し、和紙タイを結べば、ルアー６０は、一対の固定用台紙２０、２０の上に固定される。なお、図４は、フックが取り付けられていないルアー６０を記載しているが、フックが取り付けられているルアー５０の場合でも同様である。ただし、フックで周囲を傷つけないように、フックにカバー等を付ける対応が必要になる。
【００２１】
図５は、本考案のルアー固定部材１０に長尺ルアー７０を固定した状態の斜視図である。長尺のルアーの場合は、一対の固定用台紙２０、２０を離しておき、その上に長尺ルアー７０を置き、図４で説明したように和紙タイで結ぶことで、長尺ルアー７０を一対の固定用台紙２０、２０の上に固定することができる。
【００２２】
図４および図５で説明したことより明らかなように、１種類の固定用台紙２０を準備しておけば、この固定用台紙２０を一対として使用することで、ルアーの長さに係わらずルアー固定部材１０として使用することができる。
【００２３】
図６は、図４において両側の側方折片２４，２４と後部側のフックホール付折片２３とを折線（点線の部分）で折り曲げた状態のルアー固定部材の斜視図である。各折片を折り曲げるのは、ルアー包装用箱１００に収納するためであり、折り曲げたフックホール付折片は、ルアー包装用箱の底蓋の一部を構成する。なお、折り曲げていない前部側のフックホール付折片は、ルアー包装用箱を販売用に吊り下げる際の吊り下げ片の一部を構成するようになっている。
【００２４】
図７は、ルアー包装用箱の底部から図６のルアー固定部材１０を収納する途中の状態の斜視図である。折り曲げた状態のルアー固定部材１０をルアー包装用箱の底部から収納すれば、ルアー包装用箱全体が完成する。
【００２５】
図８は、別の実施例としてのルアー固定部材１０の斜視図である。図８に示す実施例では、固定用台紙２０には片側にのみ側方折片２４を設けている。図８に示す固定用台紙２０は、一方の側方折片２４をなくした分だけ材料を節約することができる。また、図８に示す左右の固定用台紙２０、２０は、全く同一形状であるので、一種の固定用台紙２０を準備すれば、一対の固定用台紙２０、２０として使用することができる。
【００２６】
図９は、図８に示すルアー固定部材１０における図６と同じ状態、即ち片側の側方折片２４と後部側のフックホール付折片２３とを折線で折り曲げた状態の斜視図である。
【００２７】
図１０は、図８に示すルアー固定部材１０の実施例のさらなる変形例の斜視図である。このルアー固定部材１０は、両側の側方折片２４を無くしたもので、図８に示すルアー固定部材１０よりも更に材料を節約することができる。重量が小さい短尺ルアー用の固定部材として使用することができる。
【００２８】
本考案によるルアー固定部材は、以上の実施例に限定されることなく、本考案の要旨を逸脱しない範囲内で種々の変形が可能である。例えば、図３および図８に示す側方折片２４の形状は、長方形であるが、これを台形にしてもよい。さらに別の実施例のルアー固定部材１０として、図１１に示すように、図８に示す側方折片２４を３連式、即ち、第１の側方折片２５、第２の側方折片２６、第３の側方折片２７としてもよい。この場合、ルアー包装用箱にルアー固定部材１０を収納した状態では、第２の側方折片２６がルアー包装用箱の正面に位置するので、ユーザがルアー包装用箱の外部からルアーの形態を視認する際に邪魔にならないように、窓部を設けることが好ましい。
【００２９】
図１２は、本考案のルアー包装用箱の展開図である。点線は、折線を示している。ルアー包装用箱１００は、胴部１１０，前部１２０および底部１３０より構成されている。胴部１１０は、前面１１１、前面側方折片１１２、１１３、後面１１４、後面側方折片１１５を備えており、前部１２０は、前部閉鎖片１２１、前面吊り下げ片１２２、前部閉鎖側片１２３、後面第１吊り下げ片１２４、後面第２吊り下げ片１２５を備えており、底部１３０は、底部閉鎖側片１３１、底部第１閉鎖片１３２、底部第２閉鎖片１３３を備えている。
【００３０】
さらに、図１２は、収容しているルアーをユーザがルアー包装用箱の外から視認できるように視認窓１４１が設けられている。視認窓１４１は、４つの窓に分かれているが、全体としてルアーの外形を模した形状になっている。視認窓１４１をルアーの外形を模した形状とすることで、収容しているルアーの形態を視認することができると共に、ルアーの外形を模した形状とすることで、美観上の効果を奏することができる。
【００３１】
図１３は、図１２のルアー包装用箱の変形例としての展開図である。図１２のルアー包装用箱は、吊り下げ片として、前面吊り下げ片１２２、後面第１吊り下げ片１２４および後面第２吊り下げ片１２５の３枚で構成するようになっているが、図１３のルアー包装用箱は、前面吊り下げ片１２２および後面第１吊り下げ片１２４の２枚で構成するようになっている。短尺の軽量なルアーを収容するルアー包装用箱の吊り下げ片として適している。なお、本考案の目的である、吊り下げ片の強度を上げるために、ルアー固定部材１０と協働することについては、以下で説明する。
【００３２】
図１４は、図１２のルアー包装用箱のさらなる変形例としての展開図である。図１４では、視認窓１４１が１つの窓にまとめられている。視認窓を１つにまとめても、収容しているルアーをルアー包装用箱の外から視認する際に、収容しているルアーの形態を視認することができると共に、ルアーの外形を模した形状とすることで、美観上の効果を奏することができる。したがって、視認窓１４１がルアーの外形を模した形状である限り、短軸の長さの増減、長軸の長さの増減、更には窓の分割数の増減等、様々な形状の視認窓を用いることができる。
【００３３】
図１５は、図１２のルアー包装用箱の組立後の斜視図である。本考案のルアー包装用箱は、次のようにして組み立てる。
【００３４】
まず、前面１１１、前面側方折片１１２、１１３、後面１１４、後面側方折片１１５を各折線で折り曲げ、前面側方折片１１２と後面側方折片１１５とを糊付けすれば、胴部１１０が完成する。次に底部閉鎖側片１３１、１３１、底部第１閉鎖片１３２、底部第２閉鎖片１３３を各折線で折り曲げ、底部第２閉鎖片１３３を胴部１１０に差し込めば、底部１３０が完成する。なお、底部１３０を完成させる前に、予め、図７に示すように、ルアー包装用箱の底部からルアー固定部材を収納させておくことが必要である。
【００３５】
最後に、前部１２０を組み立てるが、ルアー固定部材１０がルアー包装用箱１００に収納されているので、固定用台紙２０のフックホール付折片２３は、ルアー包装用箱１００の後面第１吊り下げ片１２４の上に重なるように位置している（図１６参照）。この状態で、前部閉鎖側片１２３、１２３を各折線で折り曲げ、次に前部閉鎖片１２１、前面吊り下げ片１２２を各折線で折り曲げると、前部１２０が塞がると共に、前面吊り下げ片１２２がフックホール付折片２３の上に重なるように位置する（図１６参照）。そして、後面第２吊り下げ片１２５を折線で折り曲げれば、後面第２吊り下げ片１２５が前面吊り下げ片１２２の上に重なるように位置する（図１６参照）。
【００３６】
この場合、ルアー包装用箱１００の吊り下げ片は、ルアー包装用箱１００の３枚（前面吊り下げ片１２２、後面第１吊り下げ片１２４、後面第２吊り下げ片１２５）と固定用台紙２０のフックホール付折片２３との計４枚が重なるようにして形成されるので、吊り下げ片として十分な強度を有することができる。すなわち、ルアー包装用箱１００は、ルアー固定部材１０と協働することができる。
【００３７】
図１７は、本考案のルアー包装用箱を吊り下げ用フックに吊り下げた状態の斜視図である。ルアー包装用箱１００の端部に設けた３枚の吊り下げ片（１２２、１２４、１２５）および固定用台紙２０の端部に設けた１枚のフックホール付折片（２３）から構成される吊り下げ片に設けてあるフックホール２２に、販売展示用の吊り下げ用フック１５１を通すことで、販売用に供することができる。
【符号の説明】
【００３８】
１０      ルアー固定部材
２０      固定用台紙
２１      切り込み
２２      フックホール
２３      フックホール付折片
２４      側方折片
２５      第１の側方折片
２６      第２の側方折片
２７      第３の側方折片
３０      和紙タイ
５０      ルアー
５１      アイ
５３      フック
６０      フック無しルアー
７０      フック無し長尺ルアー
１００    ルアー包装用箱
１１０    胴部
１１１    前面
１１２    前面側方折片
１１３    前面側方折片
１１４    後面
１１５    後面側方折片
１２０    前部
１２１    前部閉鎖片
１２２    前面吊り下げ片
１２３    前部閉鎖側片
１２４    後面第１吊り下げ片
１２５    後面第２吊り下げ片
１３０    底部
１３１    底部閉鎖側片
１３２    底部第１閉鎖片
１３３    底部第２閉鎖片
１４１    視認窓
１５１    吊り下げ用フック
【図１】
0003234571.tif 000003
【図２】
0003234571.tif 000004
【図３】
0003234571.tif 000005
【図４】
0003234571.tif 000006
【図５】
0003234571.tif 000007
【図６】
0003234571.tif 000008
【図７】
0003234571.tif 000009
【図８】
0003234571.tif 000010
【図９】
0003234571.tif 000011
【図１０】
0003234571.tif 000012
【図１１】
0003234571.tif 000013
【図１２】
0003234571.tif 000014
【図１３】
0003234571.tif 000015
【図１４】
0003234571.tif 000016
【図１５】
0003234571.tif 000017
【図１６】
0003234571.tif 000018
【図１７】
0003234571.tif 000019